(57)【要約】  【課題】  この発明は、携帯用カード収納具に収納したまま非接触ＩＣカードを利用することができるとともに、スキミング機器から放射される電磁波の透過を防ぎ、カード所有者が気付かないうちにカード情報がスキミングされることを防止できる携帯用カード収納具を提供することを目的とする。  【解決手段】  電磁波Ｇを用いた非接触での情報の読み取りを許容する非接触型ＩＣカードＣを収納する収納部３０に、前記カードの片面側を覆うカバー２０を接続したスペーサ式カードケース１ａであって、前記カバー２０に、電磁波Ｇの透過を防止する電磁波シールド部３を備え、前記収納部３０と前カバー２０との接続部を、前記電磁波シールド部３が前記非接触型ＩＣカードＣを覆う閉状態と、覆わない開状態とに移行可能に形成した。  【選択図】  図２
2006167011.tif 000002
【特許請求の範囲】
【請求項１】
誘導電磁界を用いた非接触での情報の読み取りを許容するカードを収納する収納部に、前記カードの片面側を覆う覆体を接続した携帯用カード収納具であって、
前記覆体に、電磁波の透過を防止する電磁波透過防止部を備え、
前記収納部と前記覆体との接続部を、前記電磁波透過防止部が前記カードを覆う閉状態と、覆わない開状態とに移行可能に形成した
携帯用カード収納具。
【請求項２】
前記電磁波透過防止部を第１電磁波透過防止部とし、
前記閉状態で前記電磁波透過防止部が覆う前記カードの反対面の前記収納部に、
電磁波の透過を防止する第２電磁波透過防止部を備え、
前記第２電磁波透過防止部と前記カードとの間に、前記誘導電磁界の通過を許容する間隔を形成する離間部材を備えた
請求項１記載の携帯用カード収納具。
【請求項３】
前記電磁波透過防止部を第１電磁波透過防止部とし、
前記閉状態で前記電磁波透過防止部が覆う前記カードの反対面の前記収納部に、
電磁波の透過を防止する第２電磁波透過防止部を備え、
前記第２電磁波透過防止部と前記カードとの間に、前記誘導電磁界の通過を許容する高透磁性部材を備えた
請求項１記載の携帯用カード収納具。
【発明の詳細な説明】
【技術分野】
【０００１】
この発明は、例えば非接触で情報の読み取りを許容する非接触ＩＣカードを携帯する際に用いる携帯用カード収納具に関する。
【背景技術】
【０００２】
近年、クレジットカードやキャッシュカードさらには定期券などで、誘導電磁界を用いて非接触で通信できる非接触ＩＣカードが普及しており、売買決済などを現金を用いずに行うことができる。
【０００３】
しかし、カードに記録した情報（以下「カード情報」という）を、端末装置に取付けた不正読み取り機で盗み取る、いわゆる「スキミング」といった行為が横行し、カードが偽造されたり、情報が書き換えられるといった問題が社会問題化している。
【０００４】
この問題に対して、端末装置でのカード情報の読み取りの際に「スキミング」が行われるとの前提で、端末装置にスキミング防止機能を設けてスキミングを防止したり（特許文献１参照）、不正読み取り機の取付けを端末装置自身が検出し、動作を停止させてスキミングを防止する方法等が提案されていた（特許文献２参照）。
【０００５】
【特許文献１】特開２００３−２３３６２０号公報
【特許文献２】特開２００４−０５４６７０号公報
【発明の開示】
【発明が解決しようとする課題】
【０００６】
しかしながら、スキミング技術は進歩しており、端末装置でカード情報を読み取る時以外でも、スキミングできる機器が開発されるおそれがある。例えば、電磁波等を照射して服の上からカードに非接触でスキミングを行う機器等が考えられる。
【０００７】
このような機器によって、カードに非接触でスキミングが行われると、例えば満員電車の乗車中などに、カード所有者が気付かないうちにカード情報がスキミングされるおそれが生じる。
【０００８】
すなわち、カード所有者は、一般に非接触ＩＣカードを、財布や定期入れ等の携帯用カード収納具に入れて携帯しているが、これら携帯用カード収納具は、革や布等で構成されている。このため、携帯用カード収納具は、スキミング機器から照射される電磁波等を透過させてしまい、カード所有者が気付かないうちにカード情報がスキミングされるおそれがある。
【０００９】
カード所有者が気付かないうちにカード情報がスキミングされることを防止するためには、携帯用カード収納具を電磁シールド材で形成し、非接触ＩＣカードを電磁シールド材で覆うことによって、スキミング機器から放射される電磁波等が携帯用カード収納具内に透過することを防止することで実現することができる。
【００１０】
しかし、非接触ＩＣカードは、カードリーダからの電磁波がカード内部を透過することによって作動する構造であるため、電磁シールド材と非接触ＩＣカードとが近接する場合、電磁波がカード内部を透過せず、非接触ＩＣカードは作動しない。従って、利用者は電磁波シールド材で形成した携帯用カード収納具に非接触ＩＣカードを収納したまま、非接触ＩＣカードを利用することはできず、利用するたびに携帯用カード収納具から非接触ＩＣカードを取り出して使用しなければならないという不便さが生じる懸念があった。
【００１１】
これでは、非接触ＩＣカードの携帯用カード収納具に収納したまま利用できるという非接触ＩＣカードの大きなメリットがなくなり、非接触ＩＣカードを利用する利用者の満足度を向上することはできない。
【００１２】
そこで、本発明は、携帯用カード収納具に収納したまま非接触ＩＣカードを利用することができるとともに、スキミング機器から放射される電磁波の透過を防ぎ、カード所有者が気付かないうちにカード情報がスキミングされることを防止できる携帯用カード収納具を提供することを目的とする。
【課題を解決するための手段】
【００１３】
この発明は、誘導電磁界を用いた非接触での情報の読み取りを許容するカードを収納する収納部に、前記カードの片面側を覆う覆体を接続した携帯用カード収納具であって、前記覆体に、電磁波の透過を防止する電磁波透過防止部を備え、前記収納部と前記覆体との接続部を、前記電磁波透過防止部が前記カードを覆う閉状態と、覆わない開状態とに移行可能に形成した携帯用カード収納具であることを特徴とする。
【００１４】
カードを収納する収納部は、袋状でカードの大半部分を収納する収納部、バンド等に固定する収納部、カードの隅角部を保持する保持部とバンドによって固定する収納部等を含む。  
前記誘導電磁界とは、カードリーダから発信される電磁波によって形成される電磁界を指す。  
前記カードは、非接触型ＩＣカード等で構成できる。
【００１５】
前記電磁波の透過を防止する電磁波透過防止部は、外部からの電磁波の透過を遮断する部材、または若干の電磁波の透過を許容する部材で形成されていることを含む。ここで、若干の電磁波は、例えば非接触型ＩＣカードが作動し得ない程度の電磁波を指す。これらの部材としては、アルミニウム、鉄、ケイ素、コバルトならびにニッケル等の金属類を使用できる。  
また、前記電磁波の透過を防止する電磁波透過防止部は、銀などをコーティングした電磁波シールドや磁気を透過しない磁気シールド等も含む概念である。
【００１６】
覆体の形状は、板状、布状、メッシュ状、繊維状等、適宜の形状とすることができる。また、電磁波の透過を防止する部材が液体状のものであれば、携帯用カード収納具の素材に、直接塗布、吹き付け、含侵、蒸着等をして、完全に携帯用カード収納具に一体化してもよい。
【００１７】
前記電磁波透過防止部は、覆体全体、または覆体の一部に備えたことを含む。  
前記前記電磁波透過防止部が前記カードを覆う閉状態は、前記電磁波透過防止部が前記カードの少なくとも片面を覆う状態を指す。  
前記前記電磁波透過防止部が前記カードを覆わない開状態は、前記電磁波透過防止部が前記カードの両面を覆わない状態を指す。
【００１８】
前記移行可能に形成したは、開状態と閉状態を回動、スライド、折り畳み等によって移行できる接続を含む。
【００１９】
以上の構成により、非接触での情報の読み取りを許容するカードを携帯用カード収納具に収納して、閉状態である場合は、外部のスキミング機器から放射される電磁波の携帯用カード収納具内への透過を防ぐことができる。  
一方、開状態である場合は、カードリーダからの電磁波がカード内部を透過し、非接触ＩＣカードを作動させることができる。
【００２０】
これにより、カードを携帯用カード収納具に収納して閉状態で携帯することによって、カード所有者が気付かないうちにカード情報がスキミングされることを防止できる。  
また、利用者が、カードを携帯用カード収納具に収納したままカードを利用することができる。
【００２１】
この発明の態様として、前記電磁波透過防止部を第１電磁波透過防止部とし、前記閉状態で前記電磁波透過防止部が覆う前記カードの反対面の前記収納部に、電磁波の透過を防止する第２電磁波透過防止部を備え、前記第２電磁波透過防止部と前記カードとの間に、前記誘導電磁界の通過を許容する間隔を形成する離間部材を備えることができる。
【００２２】
前記第２電磁波透過防止部は、第１電磁波透過防止部と同一部材、または別の電磁波の透過を遮断する部材、または若干の電磁波の透過を許容する部材で形成することを含む。また、前記第２電磁波透過防止部は、第１電磁波透過防止部と一体形成、別体形成することを含む。  
前記誘導電磁界の通過を許容する間隔は、カードリーダから発信されカード内部を透過した電磁波が通過することのできる適宜の間隔を指す。
【００２３】
前記離間部材は、前記カードの片面の全部に接触する形状、または前記カードの片面の一部に接触する形状で形成されていることを含む。  
また、前記カードの片面の全部に接触する形状で形成した前記離間部材は、布、革、スポンジ、または樹脂等の電磁波の透過を許容する部材で形成されていることを含む。
【００２４】
また、前記カードの片面の一部に接触する形状で形成した前記離間部材は、前記第２電磁波透過防止部と前記カードとの間に空気層を形成すればよく、布、革、スポンジ、樹脂等の電磁波の透過を許容する部材で形成されていること、または外部からの電磁波の透過を遮断する部材で形成されていることを含む。
【００２５】
以上の構成により、閉状態において、第１電磁波透過防止部が収納部に収納したカードの片面を覆い、反対面を第２電磁波透過防止部で覆うことができる。また、開状態においても、第２電磁波透過防止部はカードの片面を覆っているが、離間部材によって第２電磁波透過防止部とカードの間に間隔を形成しているため、電磁波がカード内部を透過することができる。
【００２６】
これにより、閉状態においては、収納部に収納したカードの両面を、第１電磁波透過防止部と第２電磁波透過防止部とで覆うことができ、スキミング機器からの電磁波の携帯用カード収納具内への透過を防止できるため、カード情報をスキミングされることを防止できる。  
また、利用者が、簡易な構造でカードを携帯用カード収納具に収納したままカードを利用することができる。
【００２７】
また、この発明の態様として、前記電磁波透過防止部を第１電磁波透過防止部とし、前記閉状態で前記電磁波透過防止部が覆う前記カードの反対面の前記収納部に、電磁波の透過を防止する第２電磁波透過防止部を備え、前記第２電磁波透過防止部と前記カードとの間に、前記誘導電磁界の通過を許容する高透磁性部材を備えることができる。
【００２８】
前記高透磁性部材は、フェライトシート、アモルファスシート等で形成した部材を含む。  
また、高透磁性部材をカードの一面分すべて、またはカードの一面の一部に備えることを含む。
【００２９】
以上の構成により、閉状態において、第１電磁波透過防止部が収納部に収納したカードの片面を覆い、反対面を第２電磁波透過防止部で覆うことができる。また、開状態においても、第２電磁波透過防止部はカードの片面を覆っているが、第２電磁波透過防止部とカードの間に電磁波が通過できる高透磁性部材を備えたことによって、カード内部を電磁波が透過することができる。
【００３０】
これにより、閉状態においては、収納部に収納したカードの両面を、第１電磁波透過防止部と第２電磁波透過防止部とで覆うことができ、スキミング機器からの電磁波の携帯用カード収納具内への透過を防止できる。  
また、利用者が、カードを携帯用カード収納具に収納したまま、覆体を開けて、カードを利用することができる。
【発明の効果】
【００３１】
この発明によれば、携帯用カード収納具に収納したまま非接触ＩＣカードを利用することができるとともに、カード情報がスキミングされることを防止できる。
【発明を実施するための最良の形態】
【００３２】
以下、図面に基づいて本発明の実施形態を詳述する。  
まず、非接触型ＩＣカードＣの斜視図を示す図１とともに、非接触型ＩＣカードＣについて説明する。
【００３３】
クレジットカード、キャッシュカード、レンタル店の会員証、診察券等に用いられる非接触型ＩＣカードＣは、プラスチック製のカード体１０に情報記録媒体を設け、情報を記録するように構成している。
【００３４】
非接触型ＩＣカードＣは、カード体１０の周縁部にアンテナコイル１１を設け、そのアンテナコイル１１の端部にＩＣチップ１２を設けている。このＩＣチップ１２にメモリ（情報記憶媒体）を内蔵しており、このメモリ内の情報を読み取ることで、端末装置と情報のやり取りを行う。
【００３５】
非接触型ＩＣカードＣは、図示しない端末装置から発信された電磁波Ｇがアンテナコイル１１の内側を透過することでアンテナコイル１１に起電力が生じ、非接触型ＩＣカードＣは生じた起電力によってメモリ内の情報を発信する。したがって、端末装置は非接触型ＩＣカードＣより発信された情報を受信することができる。なお、非接触型ＩＣカードＣのデータ伝送距離（電波飛距離）は、２ｍｍ以下のものや１０００ｍｍ以上のもの等、適宜の距離に設定することができる。
【００３６】
これらの非接触型ＩＣカードＣに対して、スキミング機器から電磁波等が照射されることで、メモリに記録された情報がスキミングされ、カードの偽造が行われたり、また、これらの情報の書き換え等が行われ得る。
【実施例１】
【００３７】
スペーサ式カードケース１ａの表面側の斜視図を示す図２（ａ）と、スペーサ式カードケース１ａの裏面側の斜視図を示す図２（ｂ）と、本発明のスペーサ式カードケース１ａのＡ−Ａ断面図を示す図３（ａ）、スペーサ４１のない場合のスペーサ式カードケース１ａの断面図を示す図３（ｂ）、スペーサ式カードケース１ａの使用状態の説明図を示す図４とともにスペーサ式カードケース１ａについて説明する。
【００３８】
スペーサ式カードケース１ａは、牛革２１の外表面と内表面に高純度の銀をコーティングして電磁波シールド部３を備え、この牛革２１を形崩れしない程度の剛性（厚み）に形成し、略長方形に形成したカバー２０を備えている。  
なお、牛革２１の内表面のみに高純度の銀をコーティングして電磁波シールド部３を備えてもよい。
図２（ｂ）に示すように、スペーサ式カードケース１ａの内表面１２の左右には、カード体１０の手前両角部を保持する保持ポケット３１と奥側のカード体１０を保持する保持バンド３２とで構成した収納部３０を備えている。
【００３９】
また、前記収納部３０のカード体１０の手前側端部付近及び奥側端部付近のそれぞれに、略直方体のスペーサ４１を適宜の間隔を開けて左右に２つずつ備えている。
【００４０】
スペーサ４１は、収納部３０にカード体１０を収納した際に、保持バンド３２によってカード体１０と内表面との間で圧縮されるが、圧縮された状態で所定の肉厚（例えば、５ｍｍ程度）を有する弾力性のあるスポンジ材で形成している。
【００４１】
従って、非接触型ＩＣカードＣは、スペーサ４１の上面に沿って、保持バンド３２を通過して、カード体１０の手前両角部を左右の保持ポケット３１に挿入することで収納部３０に収納することができる。  
また、スペーサ式カードケース１ａには左右の内面側に同様の収納部３０を備えているため、２枚の非接触型ＩＣカードＣをスペーサ式カードケース１ａに備えることができる。
【００４２】
なお、スペーサ式カードケース１ａは内表面１２の左右に２枚の非接触型ＩＣカードＣを収納して、牛皮２０の左右を、非接触型ＩＣカードＣが内側になるように中央部で二つ折りに折り畳んで、折り畳み状態で携帯することができる。
【００４３】
上述したように収納部３０にカード体１０を収納した状態では、図３（ａ）に示すようにカード体１０の内表面側面１０ａと内表面との間に、スペーサ４１によって間隔Ｄが形成される。間隔Ｄは、圧縮されたスペーサ４１と同じ高さの５ｍｍ程度である。
【００４４】
上記構成により、図４（ａ）に示すように、スペーサ式カードケース１ａを二つ折りに折り畳むことができるため、携帯時に折り畳んでスキミング機器からの電磁波等のスペーサ式カードケース１ａ内への透過を防ぐことができ、カード情報がスキミングされるといったおそれをなくすことができる。またスペーサ式カードケース１ａを折り畳むことでかさばることがないため、携帯性が高まる。
【００４５】
また、利用者は、非接触型ＩＣカードＣをスペーサ式カードケース１ａの収納部３０に収納したまま、図４（ｂ）、（ｃ）に示すように開状態とし、使用しようとする非接触型ＩＣカードＣを電磁波Ｇを発信するリーダＲに向けるだけで、非接触型ＩＣカードＣを利用することができる。
【００４６】
詳述すると、図３（ｂ）に示すように、電磁波シールド部３を備えて間隔Ｄを設けなかった場合、電磁波Ｇは内表面の電磁波シールド部３によって反射するため、アンテナコイル１１内側を透過せず、アンテナコイル１１に起電力が生じず非接触型ＩＣカードＣは作動しない。  
しかし、図３（ａ）に示すように、間隔Ｄによって、電磁波Ｇはアンテナコイル１１内側を透過して間隔Ｄを通過するため、アンテナコイル１１に起電力が生じ、非接触型ＩＣカードＣは作動することとなる。
【００４７】
なお、スペーサ４１がカード体１０と平面視略同一形状で形成して、カード体１０の内表面側面１０ａ全部に接触してもよい。
図５（ａ）に示すように、スペーサ４１の代わりに高透磁性シート４２を内表面に備えてもよい。  
高透磁性シート４２は、所定の肉厚（例えば０．５ｍｍ程度）のアモルファスシートで形成し、幅１０ｍｍ程度の帯状シートを組み合わせてはしご状に形成している。
【００４８】
上記構成により、図５（ｂ）に示すように、内表面とカード体１０の間に高透磁性シート４２を介在させることによって、電磁波Ｇは内表面によって反射されず、アンテナコイル１１内側を透過して高透磁性シート４２内部を通過するため、アンテナコイル１１に起電力が生じ、非接触型ＩＣカードＣを作動させることができる。  
従って、利用者は、一般的に利用されるカードケースに近い厚みでスペーサ式カードケース１ａと同様の効果を得ることができる。
【実施例２】
【００４９】
ホルダー式カードケース１ｂの表面側の斜視図を示す図６（ａ）と、ホルダー式カードケース１ｂの裏面側の斜視図を示す図６（ｂ）と、ホルダー式カードケース１ｂの右側面図を示す図７、ホルダー式カードケース１ｂの図７でのＢ−Ｂ断面図を示す図８、ホルダー式カードケース１ｂの使用状態の説明図を示す図９とともにホルダー式カードケース１ｂについて説明する。
【００５０】
ホルダー式カードケース１ｂは、牛革２１の外表面と内表面に高純度の銀をコーティングして電磁波シールド部３を備え、この牛革２１を形崩れしない程度の剛性（厚み）に形成し、略長方形に形成したカバー２０を備えている。  
また、牛革２１の内表面のみに高純度の銀をコーティングして電磁波シールド部３を備えてもよい。
【００５１】
なお、カバー２０の内面側には、中央部の折り畳み部の左右に開口部を折り畳み部側に向けたポケット５５を左右対称に設けている。  
また、図８に示すようにホルダー５０は板状の基台部５２と、２つの板状の装着片５１とを逆Ｔ字型に接続した形状であり、接続部を折り畳み可能に形成し、２つの装着片５１をそれぞれのポケット５５に収納することで、カバー２０にホルダー５０を装着している。
【００５２】
さらにまた、基台部５２の両側には、高透磁性シート４２を備えるとともに、高透磁性シート４２上でカード体１０が保持できるように保持ポケット３１と保持バンド３２とを備えて収納部３０を形成している。また、基台部５２には、高純度の銀をコーティングした電磁波シールド部３を備え、カード体１０を保持するための適宜の強度を有する。  
なお、保持ポケット３１、保持バンド３２及び高透磁性シート４２については、実施例１と同様であるため説明を省略する。
【００５３】
図８に示すように電磁波Ｇの透過方向に非接触型ＩＣカードＣを重ねた場合、両方の非接触型ＩＣカードＣが誤作動したり、両方の非接触型ＩＣカードＣが作動しなかったりすることがあり得る。  
しかし、本実施例で示すように重ねた非接触型ＩＣカードＣの間に電磁波シールド部３を介在させることによって、電磁波Ｇが作用する面の反対側に収納した非接触型ＩＣカードＣには、電磁波Ｇは作用しないため、誤作動することを防止できる。  
また、実施例１に述べたように基台部５２とカード体１０ａとの間に高透磁性シート４２を介在させることにより、アンテナコイル１１内側を透過して高透磁性シート４２内部を通過するため、アンテナコイル１１に起電力が生じ、非接触型ＩＣカードＣを作動させることができる。  
従って、利用者は、図９（ａ）に示すように、ホルダー式カードケース１ｂを二つ折りに折り畳むことができるため、携帯時に折り畳んでスキミング機器からの電磁波等のホルダー式カードケース１ｂ内への透過を防ぐことができ、カード情報がスキミングされるといったおそれをなくすことができる。また、ホルダー式カードケース１ｂを折り畳むことでかさばることがないため、携帯性が高まる。
【００５４】
また、利用者は、２枚の非接触型ＩＣカードＣをホルダー式カードケース１ｂのホルダー５０の収納部３０に収納した場合であっても、図９（ｂ）、（ｃ）に示すように開状態とし、使用しようとする非接触型ＩＣカードＣを電磁波Ｇを発信するリーダＲに向けるだけで、誤作動なく非接触型ＩＣカードＣを利用することができる。
【００５５】
なお、ホルダ−５０に複数の基台部５２を備え、２枚以上の非接触型ＩＣカードＣを収納できるように構成しても良い。
【００５６】
以上、この発明の構成と、前述の実施形態との対応において、
この発明の誘導電磁界は、電磁波Ｇに対応し、
以下同様に、
カードは、非接触型ＩＣカードＣに対応し、
覆体は、カバー２０に対応し、
電磁波透過防止部、第１電磁波透過防止部または、第２電磁波透過防止部は、電磁波シールド部３に対応し、
離間部材は、スペーサ４１に対応し、
高透磁性部材は、高透磁性シート４２に対応するも、
この発明は、上述の実施形態の構成のみに限定されるものではなく、多くの実施の形態を得ることができる。
【図面の簡単な説明】
【００５７】
【図１】非接触型ＩＣカードを説明する説明図。
【図２】スペーサ式カードケースの斜視図。
【図３】スペーサ式カードケースの説明図。
【図４】スペーサ式カードケースの使用状態説明図。
【図５】他の実施形態のスペーサ式カードケースの説明図。
【図６】ホルダー式カードケースの斜視図。
【図７】ホルダー式カードケースの右側面図。
【図８】ホルダー式カードケースのＢ−Ｂ拡大断面図。
【図９】ホルダー式カードケースの使用状態説明図。
【符号の説明】
【００５８】
１ａ…スペーサ式カードケース
１ｂ…ホルダー式カードケース
３…電磁波シールド部
２０…カバー
３０…収納部
４１…スペーサ
４２…高透磁性シート
Ｃ…非接触型ＩＣカード
Ｄ…間隔
Ｇ…電磁波
【図１】
2006167011.tif 000003
【図２】
2006167011.tif 000004
【図３】
2006167011.tif 000005
【図４】
2006167011.tif 000006
【図５】
2006167011.tif 000007
【図６】
2006167011.tif 000008
【図７】
2006167011.tif 000009
【図８】
2006167011.tif 000010
【図９】
2006167011.tif 000011